(57)【特許請求の範囲】
【請求項１】
発光表示ユニット、
前記発光表示ユニットを覆うように前記発光表示ユニットの前方に配置され、前記発光表示ユニットからの光を透過する樹脂製のカバー、及び
前記カバーの表面に設けられ、かつ金属調の光沢を持つように光学設計されたナノ積層フィルムからなり、前記発光表示ユニットからの光を透過する金属調フィルム
を備え、
前記カバーの裏側の空間内には、外部に設けられたリモコンからの光信号を受光するリモコン受光部をさらに備えているエレベータの表示器具。
【請求項２】
前記カバーの色はグレースモークである請求項１記載のエレベータの表示器具。
【請求項３】
前記金属調フィルムの表面がマット仕上げされている請求項２記載のエレベータの表示器具。
【請求項４】
前記発光表示ユニットには、前記リモコン受光部での前記光信号の受光状態に応じて発光表示を行うリモコン操作状態表示部が設けられている請求項１記載のエレベータの表示器具。
【請求項５】
発光表示ユニット、
前記発光表示ユニットを覆うように前記発光表示ユニットの前方に配置され、前記発光表示ユニットからの光を透過する樹脂製のカバー、
前記カバーの表面に設けられ、かつ金属調の光沢を持つように光学設計されたナノ積層フィルムからなり、前記発光表示ユニットからの光を透過する金属調フィルム、及び
前記カバーの裏側の空間内を照らす保守用照明
を備えているエレベータの表示器具。
【発明の詳細な説明】
【技術分野】
【０００１】
この発明は、例えば乗場操作盤、かご内操作盤及び位置表示器等のエレベータの表示器具に関するものである。
【背景技術】
【０００２】
従来の金属調化粧シートでは、透明樹脂フィルムにミラー調インクが印刷されている。また、光を透過させる部分には、ミラー調インクを印刷しない透明窓部が設けられている
（例えば、特許文献１参照）。
【先行技術文献】
【特許文献】
【０００３】
【特許文献１】特開２００９−６６９７１号公報
【発明の概要】
【発明が解決しようとする課題】
【０００４】
上記のような従来の金属調化粧シートでは、透明樹脂フィルムに窓抜き印刷を施す工程が必要であり、製造コストが高くなる。また、透明窓部は金属調にすることができず、意匠面全体を一様に金属調にすることができない。【０００５】
この発明は、上記のような課題を解決するためになされたものであり、コストの低減を図りつつ、意匠面全体を一様に金属調にすることができ、意匠性を向上させることができるエレベータの表示器具を得ることを目的とする。
【課題を解決するための手段】
【０００６】
この発明に係るエレベータの表示器具は、発光表示ユニット、発光表示ユニットを覆うように発光表示ユニットの前方に配置され、発光表示ユニットからの光を透過する樹脂製のカバー、及びカバーに設けられ、かつ金属調の光沢を持つように光学設計されたナノ積層フィルムからなり、発光表示ユニットからの光を透過する金属調フィルムを備えている。
【発明の効果】
【０００７】
この発明のエレベータの表示器具は、発光表示ユニットからの光を透過する金属調フィルムをカバーに設けたので、窓抜き印刷をせずに、意匠面全体を一様に金属調にすることができ、コストの低減を図りつつ、意匠性を向上させることができる。
【図面の簡単な説明】
【０００８】
【図１】この発明の実施の形態１による乗場操作盤の非点灯時の状態を示す正面図である。
【図２】図１の乗場操作盤の点灯時の状態を示す正面図である。
【図３】図１のＩＩＩ−ＩＩＩ線に沿う断面図である。
【図４】この発明の実施の形態２による乗場操作盤の非点灯時の状態を示す正面図である。
【図５】図４の乗場操作盤の点灯時の状態を示す正面図である。
【図６】図４のＶＩ−ＶＩ線に沿う断面図である。
【図７】この発明の実施の形態３による乗場操作盤の非点灯時の状態を示す正面図である。
【発明を実施するための形態】
【０００９】
以下、この発明を実施するための形態について、図面を参照して説明する。
実施の形態１．
図１はこの発明の実施の形態１による乗場操作盤の非点灯時の状態を示す正面図、図２は図１の乗場操作盤の点灯時の状態を示す正面図、図３は図１のＩＩＩ−ＩＩＩ線に沿う断面図である。
【００１０】
図において、乗場操作盤の正面には、フェースプレート１が設けられている。フェースプレート１には、呼びを登録するための上方向呼びボタン２と、下方向呼びボタン３とが設けられている。フェースプレート１の裏側には、複数の発光表示ユニット４が設けられている。発光表示ユニット４は、上下に並べて配置されている。また、各発光表示ユニット４は、複数の光源（ＬＥＤ等）を有し、かごの走行方向（矢印）やかごの位置（階番号）等を発光表示する。
【００１１】
フェースプレート１は、樹脂製のカバー（ベース樹脂）５と、カバー５の表面に設けられた金属調フィルム６とを有している。カバー５は、発光表示ユニット４を覆うように発光表示ユニット４の前方に配置され、発光表示ユニット４からの光を透過する。この例では、カバー５は、完全な透明ではなく、スモークグレーに調色された樹脂により構成され、発光表示ユニット４からの光を所定の割合で透過する。発光表示ユニット４は、カバー５の背面に間隔をおいて対向している。
【００１２】
金属調フィルム６は、カバー５にインサート成型又は貼り付けられている。また、金属調フィルム６は、金属調の光沢（及び質感）を持つように光学設計されたナノ積層フィルムからなり、発光表示ユニット４からの光を透過する。即ち、金属調フィルム６は、ハーフミラーのように、外光を反射しつつ、発光表示ユニット４からの光を所定の割合で透過する。
【００１３】
このような金属調フィルム６としては、層厚みが個別に制御された数百から数千層の異種ポリマー層を高精度に積層したポリエステルフィルムを用いることができる（例えば東レ社製「PICASUS」（商品名））。
【００１４】
光の透過率が比較的高い（透明に近い）カバー５を用いる場合、光の透過率が低い金属調フィルム６を用いるのが好適である。言い換えると、光の透過率が低い金属調フィルム６を用いる場合、光の透過率が比較的高いカバー５を用いるのが好適であり、この場合カバー５を透明としてもよい。また、光の透過率が比較的高い（透明に近い）金属調フィルム６を用いる場合、光の透過率が低いカバー５を用いるのが好適である。このような組み合わせを選択することにより、フェースプレート１全体としての質感を金属に近付けつつ、発光表示ユニット４からの光を乗場側に透過することができる。
【００１５】
このような乗場操作盤では、発光表示ユニット４からの光を透過する金属調フィルム６をカバー５の表面に設けたので、窓抜き印刷をせずに、意匠面全体を一様に金属調にすることができ、コストの低減を図りつつ、意匠性を向上させることができる。
【００１６】
また、金属調フィルム６は、蒸着膜を用いる場合に比べて、剥げたり割れたりすることがなく耐久性にも優れており、乗場操作盤のようにボタン２，３を有する表示器具にも適している。
【００１７】
さらに、エレベータの表示器具では、かごの位置表示のように、１つの発光表示ユニット４による表示内容が変化する場合が多いため、窓抜き印刷をする場合、窓部を大きくする必要があり、窓部の境界線が見えて意匠性が低下してしまう。しかし、実施の形態１の構成によれば、窓抜き印刷が不要であり、境界線が見えることもなく、表示内容が変化するエレベータの表示器具に特に有効である。
【００１８】
さらにまた、実施の形態１の構成では、窓抜き印刷を行わないため、フェースプレート１の全体が光を透過可能となっている。このため、フェースプレート１の外側又は内側に強い光を当てることにより、乗場操作盤の外側から乗場操作盤内の部品を目視することができる。これにより、据付時の配線噛み込みの有無の確認やスイッチ設定の確認等を行うことができ、据付性及び保守性を向上させることができる。
【００１９】
また、実施の形態１ではグレースモークのカバー５を用いたので、フェースプレート１にステンレス鋼の光沢及び質感を持たせることができる。また、グレースモークのカバー５を用い、金属調フィルム６の表面をマット仕上げすることにより、フェースプレート１にアルミニウムの光沢及び質感を持たせることもできる。
【００２０】
実施の形態２．
次に、図４はこの発明の実施の形態２による乗場操作盤の非点灯時の状態を示す正面図、図５は図４の乗場操作盤の点灯時の状態を示す正面図、図６は図４のＶＩ−ＶＩ線に沿う断面図である。
【００２１】
図において、カバー５の裏側の空間内には、乗場操作盤の外部に設けられたリモコン（図示せず）からの光信号を受光するリモコン受光部（リモコン受光素子）７が設けられている。この例では、リモコン受光部７は、発光表示ユニット４の基板４ａ上に設けられている。また、発光表示ユニット４には、リモコン受光部７での光信号の受光状態に応じて発光表示を行うリモコン操作状態表示部８が設けられている。他の構成は、実施の形態１と同様である。
【００２２】
このような乗場操作盤では、リモコンからの赤外線光が乗場側から金属調フィルム６及びカバー５を透過してリモコン受光部７に入力される。これにより、乗場操作盤内の機器又はその他の機器が操作され、その操作状態がリモコン操作状態表示部８により発光表示される。リモコン操作状態表示部８からの光は、乗場側へ透過される。
【００２３】
このように、発光表示ユニット４からの光を透過する金属調フィルム６をカバー５の表面に設けたので、発光表示ユニット４だけではなく、リモコン受光部７も、窓抜き印刷をせずに、カバー５の裏側の空間に配置することができる。このため、意匠の制約を受けずに、リモコン受光部７をカバー５の裏側の自由な位置に設置できる。
【００２４】
また、発光表示ユニット４にリモコン操作状態表示部８を設けたので、リモコン操作状態表示部８も、窓抜き印刷をせずに、カバー５の裏側の空間に配置することができる。このため、意匠の制約を受けずに、リモコン操作状態表示部８をカバー５の裏側の自由な位置に設置できる。
【００２５】
実施の形態３．
次に、図７はこの発明の実施の形態３による乗場操作盤の非点灯時の状態を示す正面図である。図において、カバー５の裏側の空間には、その空間内を照らす複数の保守用照明９が設けられている。この例では、乗場操作盤内の上端部から下方を照らす保守用照明９と、乗場操作盤内の下端部から上方を照らす保守用照明９とが用いられている。他の構成は、実施の形態１又は２と同様である。
【００２６】
このような乗場操作盤では、保守用照明９によりカバー５の裏側の空間に強い光を当てることによって、乗場操作盤の外側から乗場操作盤内の部品を目視することができる。これにより、据付時の配線噛み込みの有無の確認やスイッチ設定の確認等を容易に行うことができ、据付性及び保守性を向上させることができる。
【００２７】
なお、実施の形態３において、保守用照明９の個数や位置は限定されるものではなく、目視確認が必要な位置に適宜配置することができる。例えば、保守用照明９は、カバー５の裏側の空間の四隅に配置したり、上端部のみに配置したり、下端部のみに配置したりしてもよい。
また、実施の形態１〜３において、カバー５の色はグレースモークに限定されるものではなく、例えばブラウン等であってもよい。
さらに、実施の形態１〜３において、金属調フィルム６には、上記のようなマット仕上げ以外に、例えばヘアライン加工等の表面処理を施してもよい。
さらにまた、上記の例では乗場操作盤を示したが、この発明は、例えばかご内操作盤や、かご又は乗場に設置される位置表示器等にも適用できる。このため、発光表示ユニット４の表示内容も、かごの走行方向や位置に限定されるものではなく、種々の変更が可能である。また、１つの発光表示ユニット４が常に同じ文字等を点灯・消灯する場合にも、この発明は適用できる。
【図１】
0005603416.tif 000002
【図２】
0005603416.tif 000003
【図３】
0005603416.tif 000004
【図４】
0005603416.tif 000005
【図５】
0005603416.tif 000006
【図６】
0005603416.tif 000007
【図７】
0005603416.tif 000008